(57)【要約】【課題】チャネルをスキャンする場合に、不要となるチャネルを除外することにより、効率よくチャネルのスキャンが実行できるデジタル放送受信装置を適用すること。【解決手段】放送局から地上波デジタル放送を受信する受信部と、前記受信部により受信された地上波デジタル放送から、所定のチャネルを選局して受信するチューナ部と、前記チューナ部が選局可能なチャネルを記憶するチャネルリストと、前記地上波デジタル放送において、選局可能なチャネルを判定するために、前記地上波デジタル放送をスキャンする制御を行うスキャン制御部と、を備え、前記スキャン制御部は、前記チャネルリストに記憶されているチャネルを除外して選局可能なチャネルを判定するためにスキャンする制御を行うことを特徴とする。【選択図】図２
2009260812.tif 000002
【特許請求の範囲】
【請求項１】
放送局からデジタル放送を受信する受信部と、
前記受信部により受信されたデジタル放送からチャネルを選局して受信するチューナ部と、
前記チューナ部が選局可能なチャネルを記憶するチャネルリストと、
前記デジタル放送において、選局可能なチャネルを判定するために、前記デジタル放送をスキャンする制御を行うスキャン制御部と、
を備え、
前記スキャン制御部は、前記チャネルリストに記憶されているチャネルを除外して選局可能なチャネルを判定するためにスキャンする制御を行うことを特徴とするデジタル放送受信装置。
【請求項２】
前記スキャン制御部は、前記チャネルの中に含まれる複数のセグメントの中から、一のセグメントをサーチすることにより、当該チャネルが選局可能か否かを判定することを特徴とする請求項１に記載のデジタル放送受信装置。
【請求項３】
前記スキャン制御部は、前記受信部により受信された地上波デジタル放送の種類に応じて、サーチするセグメントを決定することを更に備えることを特徴とする請求項１又は２に記載のデジタル放送受信装置。
【請求項４】
前記スキャン制御部は、スキャンで受信した放送信号の内容に応じて、前記スキャンにおける次にサーチする周波数へのインクリメントの幅を決定することを特徴とする請求項１に記載のデジタル放送受信装置。
【請求項５】
前記チャネルリストは、前記チューナにより受信したチャネルの受信強度を判別値として更に記憶しており、
前記スキャン制御部は、現在の位置におけるチャネルの受信強度が、前記チャネルリストに記載された判別値以下であれば、前記判別値以下の受信強度のチャネルをスキャン対象にすることを特徴とする請求項１に記載のデジタル放送受信装置。
【請求項６】
前記スキャン制御部は、前回実施したスキャンにより発見されたセグメント分離放送のチャネルを、スキャン対象に含めることを特徴とする請求項１に記載のデジタル放送受信装置。
【請求項７】
放送局から１チャネルが１３セグメントから構成される地上波デジタル放送を受信する受信部と、
前記受信部により受信された地上波デジタル放送から、指定されたチャネルの０セグメントを受信するチューナ部と、
前記チューナ部が選局可能なチャネルを記憶するチャネルリストと、
前記地上波デジタル放送において、選局可能なチャネルを判定するために、前記地上波デジタル放送の０セグメントをサーチして各チャネルをスキャンする制御を行うスキャン制御部と、
を備え、
前記スキャン制御部は、前記チャネルリストに記憶されているチャネルを除外して選局可能なチャネルを判定するためにスキャンする制御を行うことを特徴とするデジタル放送受信装置。
【発明の詳細な説明】
【技術分野】
【０００１】
本発明は、デジタル放送受信装置に関する。
【背景技術】
【０００２】
従来から、放送局から送信される地上波デジタル放送を受信するデジタル放送受信装置が知られている。まず、図１０を用いて従来の地上波デジタル放送の方式について説明する。図１０に示すように、地上波デジタル放送は、１チャネルあたり６ＨＭｚの幅の帯域を、４２８ＫＨｚずつ「０」から「１２」の１３セグメントに分割されている。
【０００３】
近年、例えば携帯電話やカーナビゲーション装置等の移動可能な装置において地上波デジタル放送が受信できる装置が知られている。これらの移動可能なデジタル放送受信装置の場合、当該装置の位置に応じて、受信可能な放送局（チャネル）が異なる。したがって、デジタル放送受信装置が受信可能な放送局（チャネル）を調べる必要が有る。
【０００４】
このとき、例えば、利用者が現在端末のある場所を選択することにより、当該選択された場所に対応して受信可能なチャネルリストが選択される方法や、デジタル放送受信装置が、全チャネルをスキャンすることにより、デジタル放送として受信可能なチャネルを検出する方法等が知られている（例えば、非特許文献１参照）。
【０００５】
一例として、移動端末向けの放送であるワンセグ放送の場合を説明する。ワンセグ放送の場合、地上波デジタル放送の中央のセグメント（セグメント０）が利用されている。したがって、チャネル毎にセグメント０をサーチしていき、放送チャネルの存在の有無を判断する手法が採られている。そして、放送チャネルが有る場合、受信可能なチャネルとしてチャネルリストに記憶する。利用者は、チャネルを選局する場合にチャネルリストを参照することにより、当該装置が受信可能なチャネルを容易に選択できることとなる。
【０００６】
一方、地上波デジタル放送方式を拡張した方式としてセグメント分離放送方式が知られている。セグメント分離放送方式は、上述したワンセグ放送とはことなり、「０」〜「１２」のセグメントのうち任意のセグメントで放送サービスを構成することができる。
（例えば、非特許文献２参照）
【非特許文献１】取扱説明書  ＦＯＭＡ  ＳＨ９０５ｉ、[online]、ＮＴＴドコモ、http://www.nttdocomo.co.jp/binary/pdf/support/trouble/manual/download/905i/sh905i/SH905i_J_14.pdf
【非特許文献２】ＮＨＫによるワンセグ連結再送信放送、http://www.nhk.or.jp/strl/publica/giken_dayori/jp2/rd-0702-2.html
【発明の開示】
【発明が解決しようとする課題】
【０００７】
ここで、上述したセグメント分離放送方式に対応する受信機では、同放送方式の放送サービスを見つけるために、チャネル毎に１３セグメント総てをスキャンしていく必要が有る。この場合、従来方式によるセグメント０のみをサーチする方法と比較すると、理論上最大１３倍のスキャン時間がかかってしまうといった問題があった。
【０００８】
そこで、セグメント分離放送方式を利用することにより、地上波デジタル放送サービスエリア内の一部で提供するコンテンツ放送のサービスを、局地毎に行うことが現在検討されている。この場合、従来の地上波デジタル放送（ワンセグ放送）で既に使用されている周波数チャネルは利用せず、混信を防ぐため、その場所における空きチャネルを利用して放送することが見込まれる。
【０００９】
セグメント分離放送をスキャンする場合、セグメント分離放送方式が行われていないと想定されるワンセグ放送のチャネルについても、従来の方式ではスキャンする必要が有った。それにより、余計なチャネルをスキャンする必要が生じ、所望する放送サービスをスキャンするのに時間がかかってしまうといった問題点が生じていた。
【００１０】
そこで、上述した課題に鑑み本発明が目的としているところは、チャネルをスキャンする場合に、スキャンが不要となるチャネルを除外することにより、効率よくチャネルのスキャンが実行できるデジタル放送受信装置を適用することである。
【課題を解決するための手段】
【００１１】
上述した課題に鑑み、本発明のデジタル放送受信装置は、放送局からデジタル放送を受信する受信部と、前記受信部により受信されたデジタル放送からチャネルを選局して受信するチューナ部と、前記チューナ部が選局可能なチャネルを記憶するチャネルリストと、前記デジタル放送において、選局可能なチャネルを判定するために、前記デジタル放送をスキャンする制御を行うスキャン制御部と、を備え、前記スキャン制御部は、前記チャネルリストに記憶されているチャネルを除外して選局可能なチャネルを判定するためにスキャンする制御を行うことを特徴とする。
【００１２】
また、本発明のデジタル放送受信装置において、前記スキャン制御部は、前記チャネルの中に含まれる複数のセグメントの中から、一のセグメントをサーチすることにより、当該チャネルが選局可能か否かを判定することを特徴とする。
【００１３】
また、本発明のデジタル放送受信装置において、前記スキャン制御部は、前記受信部により受信された地上波デジタル放送の種類に応じて、サーチするセグメントを決定することを更に備えることを特徴とする。
【００１４】
また、本発明のデジタル放送受信装置において、前記スキャン制御部は、スキャンで受信した放送信号の内容に応じて、前記スキャンにおける次にサーチする周波数へのインクリメントの幅を決定することを特徴とする。
【００１５】
また、本発明のデジタル放送受信装置において、前記チャネルリストは、前記チューナにより受信したチャネルの受信強度を判別値として更に記憶しており、前記スキャン制御部は、現在の位置におけるチャネルの受信強度が、前記チャネルリストに記載された判別値以下であれば、前記判別値以下の受信強度のチャネルをスキャン対象にすることを特徴とする。
【００１６】
前記スキャン制御部は、前回実施したスキャンにより発見されたセグメント分離放送のチャネルを、スキャン対象に含めることを特徴とするデジタル放送受信装置。
【００１７】
本発明のデジタル放送受信装置は、放送局から１チャネルが１３セグメントから構成される地上波デジタル放送を受信する受信部と、前記受信部により受信された地上波デジタル放送から、指定されたチャネルの０セグメントを受信するチューナ部と、前記チューナ部が選局可能なチャネルを記憶するチャネルリストと、前記地上波デジタル放送において、選局可能なチャネルを判定するために、前記地上波デジタル放送の０セグメントをサーチして各チャネルをスキャンする制御を行うスキャン制御部と、を備え、前記スキャン制御部は、前記チャネルリストに記憶されているチャネルを除外して選局可能なチャネルを判定するためにスキャンする制御を行うことを特徴とする。
【発明の効果】
【００１８】
上述したように、本発明によれば、放送局から地上波デジタル放送を受信し、受信された地上波デジタル放送から、所定のチャネルを選局して受信するチューナ部と、前記チューナ部が選局可能なチャネルを記憶するチャネルリストと、前記地上波デジタル放送において、選局可能なチャネルを判定するために、前記地上波デジタル放送をスキャンする制御を行うスキャン制御部と、を備えるデジタル放送受信装置について、チャネルリストに記憶されているチャネルを除外して選局可能なチャネルを判定するためにスキャンする制御を行うこととなる。したがって、デジタル放送装置が全チャネルを新たにスキャンしてチャネルを登録するときに比べて、所要時間を大幅に短縮することができる。
【発明を実施するための最良の形態】
【００１９】
以下、図面を参照して本発明を実施するための最良の形態について説明する。なお、本実施形態では、一例として、本発明におけるデジタル放送受信装置を、地上波デジタル放送受信機能を備えた携帯電話に適用した場合について説明する。
【００２０】
図１は、携帯電話１の外観を示す図である。携帯電話１は、表示部５０と、入力部６０と、スピーカ７５と、マイク８５とを備えている。また、地上波デジタル放送を受信するための地上波デジタル放送受信用アンテナ３８が接続されている。
【００２１】
図２は、携帯電話１の機能構成を説明するためのものである。携帯電話１は、図２に示すように制御部１０に、バスを介して通信制御部２０と、デコーダ部３０と、記憶部４０と、表示部５０と、入力部６０と、音声復号部７０と、音声符号化部８０とが接続されている。また、通信制御部２０には、通信用ＲＦ部２５を介して通信用アンテナ２８が接続され、デコーダ部３０には、ＴＶ用ＲＦ部３５を介して地上波デジタル放送受信用アンテナ３８が接続されている。
【００２２】
また、音声復号部７０にはスピーカ７５が接続され、音声符号化部８０にはマイク８５が接続されている。
【００２３】
制御部１０（スキャン制御部）は、携帯電話１の各種動作及び制御を行う機能部である。また、携帯電話１に記憶されている各種プログラムを読み出し、実行することにより各処理を実現する機能部である。
【００２４】
通信制御部２０は、通信用ＲＦ部２５を制御することにより、通信用アンテナ２８を介して携帯電話に係る通信用の信号を送受信する制御を行う。なお、携帯電話１における通話・通信において使用される制御は、ＣＤＭＡ２０００（Code Division Multiple Access 2000）方式や、Ｗ−ＣＤＭＡ（Wideband Code Division Multiple Access）方式、ＧＳＭ（Global System for Mobile Communications）等、既存の方式のいずれかを用いても良く、その詳細な説明は省略する。
【００２５】
ＴＶ用ＲＦ部３５は、放送局から、ＯＦＤＭ変調にて送信された地上波デジタル放送を、地上波デジタル放送受信用アンテナ３８を介して受信する。そして、内蔵するチューナ部により、受信された放送波から所望する番組（チャネル）をＴＶ用ＲＦ部３５により選局し、トランスポートストリーム（ＴＳ）としてデコーダ部３０に出力する。
【００２６】
デコーダ部３０は、ＴＶ用ＲＦ部から入力されたトランスポートストリーム（ＴＳ）をデコードする機能部である。トランスポートストリーム（ＴＳ）から、映像データや音声データ等がデコードされる。映像データは表示部５０に、音声データは音声復号部７０にそれぞれ出力される。
【００２７】
記憶部４０は、携帯電話１におけるプログラムや、データ、各種設定等を記憶する随時書き込み可能なメモリである。記憶部４０は、半導体メモリ（例えばＤＲＡＭ、メモリカード）等の記憶装置により構成されている。また、本実施形態においては、記憶部４０にはチャネルリスト４２が記憶されている。
【００２８】
チャネルリスト４２は、携帯電話１が地上波デジタル放送を受信する場合の受信チャネルを記憶しているリストである。ここで、チャネルリスト４２は、ワンセグ用チャネルリスト４２２と、セグメント分離放送用チャネルリスト４２４とを含んでいる。
【００２９】
ワンセグ用チャネルリスト４２２は、携帯電話１がワンセグ放送を受信する場合に参照するチャネルリストである。ワンセグ用チャネルリスト４２２は、図３に示すようにチャネル番号（例えば、「１３」）と、放送局名（例えば、「△△放送」）とを対応づけて記憶している。
【００３０】
セグメント分離放送用チャネルリスト４２４は、携帯電話１がセグメント分離放送を受信する場合に参照するチャネルリストである。セグメント分離放送用チャネルリスト４２４は、図４に示すようにチャネル番号（例えば、「１８」）と、セグメント（例えば、「３」）と、放送局名（例えば、「△□ローカル放送」）とを対応づけて記憶している。
【００３１】
表示部５０は、携帯電話１において、各種文字列や映像等を表示する為の機能部である。ここで、表示部５０は、ＴＦＴ（Thin Film Transistor）液晶や、有機ＥＬ（electroluminescence）ディスプレイ等により実現される。
【００３２】
入力部６０は、ユーザから入力された操作を、制御部１０に伝えるための機能部である。ここで、入力部６０は、図１に示すように、本実施形態においてはボタンを用いたものを例として説明するが、他にタッチパネル等においても実現可能なことは勿論である。
【００３３】
音声復号部７０は、入力された音声データを復号し、音声信号としてスピーカ７５に出力する機能部である。スピーカ７５は、音声復号部７０から入力された音声信号を出力する。なお、本実施形態においては、音声出力装置の一例としてスピーカを用いて説明するが、イヤホン等の他の同様の装置でも良いことは勿論である。
【００３４】
音声符号化部８０は、マイク８５から入力された音声信号を符号化し、音声データとして出力する機能部である。
【００３５】
〔処理の流れ〕
つづいて、携帯電話１における処理について、図５及び図６の動作フローを用いて説明する。
【００３６】
まず、制御部１０は、起動処理を終えると各種のイベントを検出する（ステップＳ１０）。ここで、イベントとは、例えば入力部６０からキー入力のイベントを検出した場合や、通信制御部２０による電話着信のイベントを検出した場合等をいう。そして、イベントを検出すると（ステップＳ１０；Ｙｅｓ）、検出したイベントの種類を判別する。
【００３７】
まず、イベントが地上波デジタル放送（地デジ）でのスキャンの指示（トリガ）であった場合（ステップＳ１２；Ｙｅｓ）、すなわち携帯電話１のアプリケーションでワンセグ機能を起動し、チャンネルスキャンを行う操作をした場合には、制御部１０はＴＶ用ＲＦ部３５に地上波デジタル放送受信モードでのスキャンの指示を行う（ステップＳ１４）。
【００３８】
ここで「地上波デジタル放送受信モード」とは、地上波デジタル放送におけるワンセグ放送を受信するために、各チャネルにおいてセグメント０のみをサーチするようチューナを制御するような、チューナの制御形態を指す。
【００３９】
また、本実施形態において、「スキャン」とは、複数のセグメントや、チャネルを調べるときに用いることとし、「サーチ」とは、特定のセグメント（１つのセグメント）を調べるときに「サーチ」ということとする。
【００４０】
ＴＶ用ＲＦ部３５は、ＵＨＦ帯の「１３」ｃｈから順に、「６２」ｃｈまでの各チャネルにおいて、番号０〜１２の１３セグメントに分割された内のセグメント０のみをサーチ対象とし、スキャンを実行する。そして、サーチ中にチューナにより放送波が受信できている場合（チューナがロックできた場合）、受信したトランスポートストリーム（ＴＳ）をデコーダ部３０へ受け渡すこととなる。
【００４１】
デコーダ部３０によりトランスポートストリーム（ＴＳ）が解析された結果、スキャン中の当該チャネルにおいて放送サービスが発見されると（ステップＳ１６；Ｙｅｓ）、制御部１０はワンセグ用チャネルリスト４２２に、発見した放送サービスの放送局名とチャネル番号とを対応づけて記憶する（ステップＳ１８）。
【００４２】
ワンセグ用チャネルリスト４２２に、チャネルを登録した後、制御部１０は当該チャネルがラストチャネル（「６２」ｃｈ）であるかを判定する（ステップＳ２０）。当該チャネルがラストチャネルでなければ（ステップＳ２０；Ｎｏ）、ＴＶ用ＲＦ部３５の設定を次のチャネルのセグメント０へインクリメントさせて（すなわち、６ＭＨｚ増加させて）ステップＳ１４から処理を実行する（ステップＳ２２→ステップＳ１４）。
【００４３】
他方、当該チャネルがラストチャネルであれば（ステップＳ２０；Ｙｅｓ）、地上波デジタル放送受信モードでのスキャンは完了したと判定され、ステップＳ１０のイベント待ち状態に遷移する。
【００４４】
また、ステップＳ１６において、放送サービスが見つからなかった場合（ステップＳ１６；Ｎｏ）、制御部１０は何も行わずにステップＳ２０に処理を移し、当該チャネルがラストチャネルか否かの確認を行う処理へと繋がる。ステップＳ２０に移った後の処理は、放送サービスが発見された場合と同様である。
【００４５】
次に、検出されたイベントがセグメント分離放送でのスキャンのイベント（トリガ）であった場合（ステップＳ１２；Ｎｏ→ステップＳ２２；Ｙｅｓ）、すなわち携帯電話１のアプリケーションでセグメント分離放送受信機能を起動しスキャンを行う操作をした場合は、後述する図６のステップＳ３０に処理が移り実行される。
【００４６】
また、検出されたイベントが「地デジでのスキャン」でも、「セグメント分離放送でのスキャン」でもない場合には（ステップＳ１２；Ｎｏ→ステップＳ２２；Ｎｏ）、制御部１０は、検出されたイベントに応じた処理を実行し、次のイベントの検出する待ち状態に遷移する（ステップＳ２４→ステップＳ１０）。
【００４７】
つづいて、イベントがセグメント分離放送でのスキャンのイベントを検出された場合の、ステップＳ３０からの処理について図６を用いて説明する。
【００４８】
なお「セグメント分離放送受信モード」とは、セグメント分離放送を受信するために、各チャネルにおいて任意のセグメントをサーチするようチューナを制御するような、チューナの制御形態を指す。
【００４９】
制御部１０は、ＴＶ用ＲＦ部３５に対し、セグメント分離放送受信モードでのスキャン指示を行うと共に、記憶部４０のチャネルリスト４２に記憶されている、直前までワンセグ機能で使用されていたワンセグ用チャネルリスト４２２を参照し、スキャン中の当該チャネルがワンセグ用チャネルリスト４２２に存在するチャネルか否かを判定する（ステップＳ３０）。
【００５０】
ここで、スキャン中の当該チャネルが、参照するワンセグ用チャネルリスト４２２に含まれていれば（ステップＳ３０；Ｙｅｓ）、制御部１０は当該チャネルでセグメント分離放送が行われていることはないと判断し（ステップＳ３２）、当該チャネル（すなわち１３セグメント分のスキャン）をスキップしてＳ３０へ処理を移す。
【００５１】
スキャン中の当該チャネルがワンセグ用チャネルリストに含まれていない場合（ステップＳ３０；Ｎｏ）、次に、ユーザからの指定で、アプリケーションへのスキャン対象とするためのセグメント番号設定があるか否かを確認する（ステップＳ３４）。
【００５２】
ユーザによるスキャン対象のセグメント番号設定がない場合は（ステップＳ３４；Ｎｏ）、現在スキャン中のチャネルにおけるスキャン対象セグメントを、「０」〜「１２」として、総てのセグメントに対してスキャン動作を実行する。すなわち、スキャン中のチャネルにおいて、任意の順で１３のセグメントに対し、１つずつ（すなわち、４２８ｋＨｚ単位で）セグメント分離放送サービスの有無を確認していくこととなる。
【００５３】
ここで１つのセグメントの帯域が４２８ｋＨｚとなるのは、チャネルあたり６ＭＨｚを１４等分（６ＭＨｚ÷１４≒４２８ｋＨｚ）した内の１３が放送用セグメント、残りの１つが隣接チャネルとの混信を防ぐためのガードバンドとして構成されているためである。
【００５４】
他方、ユーザによりセグメント番号の設定がある場合には（ステップＳ３４；Ｙｅｓ）、設定された番号のセグメントのみをサーチすることによりスキャン動作を実行する（ステップＳ３８）。
【００５５】
スキャンの結果、セグメント分離放送サービスが検出されると（ステップＳ４０；Ｙｅｓ）、制御部１０はセグメント分離放送用チャネルリスト４２４に、発見した放送サービスの放送局とチャネル、セグメント番号とを対応づけて登録する（ステップＳ４２）。
【００５６】
つづいて、制御部１０は当該チャネルがラストチャネルであるかを判定する（ステップＳ４４）。当該チャネルがラストチャネルでなければ（ステップＳ４４；Ｎｏ）、スキャンするチャネルをインクリメントし、ステップＳ３０から処理を繰り返し実行する（ステップＳ４６→ステップＳ３０）。他方、当該チャネルがラストチャネルであれば（ステップＳ４４；Ｙｅｓ）、セグメント分離放送モードでのスキャンは完了となり、図５のステップ１０に処理が遷移する。
【００５７】
〔動作例〕
具体的に、携帯電話１における動作について、図を用いて具体的に説明する。図７は、携帯電話１の表示部５０において表示される表示画面Ｗ１００の一例を示した図である。
【００５８】
表示画面Ｗ１００には、ワンセグ用チャネルリスト４２２の内容が表示されている。図５のステップＳ１４において、セグメント０がサーチされ、放送サービスが発見されたチャネルがワンセグ用チャネルリスト４２２に記憶される。そして、当該ワンセグ用チャネルリスト４２２に記憶されているチャネル番号と、放送局名とが表示画面Ｗ１００に表示されている。
【００５９】
利用者は、表示画面Ｗ１００に表示されているチャネルリストを参照して、所望するチャネルを選択することができるようになる。
【００６０】
つづいて、図８の表示画面Ｗ１０２は、セグメント分離放送用のチャネルリストを表示する場合の一例を示す図である。例えば、セグメント分離放送受信モードで、スキャン前に、地デジ（ワンセグ）受信モードで使用されていたワンセグ用チャネルリスト４２２は、例えば図７で示した通りである。したがって、この携帯電話１が位置するワンセグの放送エリアでは、「１３」ｃｈ〜「１７」ｃｈの周波数においてワンセグ放送が構成されており、周波数が使用されていることがわかる。
【００６１】
この状態において、セグメント分離放送受信モードでスキャンを行うと、ワンセグの放送チャネル「１３」ｃｈ〜「１７」ｃｈを除いた、当該放送エリアでの「空きチャネル」（「１８」ｃｈ〜「６２」ｃｈ）の中からセグメント分離放送サービスをスキャンすることになり、「１３」ｃｈ〜「１７」ｃｈをスキップすることとなる。したがって、ワンセグ用チャネルリスト４２２に記憶されているチャネルを除外する分、スキャンの所要時間を短縮できることになる。そして、セグメント分離放送用チャネルリスト４２４に新たなチャネルが記憶され、当該セグメント分離放送用チャネルリスト４２４に記憶されたチャネルリストが図８の表示画面Ｗ１０２に表示されている。
【００６２】
ここで、表示画面Ｗ１０２によると、「１８」ｃｈのセグメント番号「３」及び「１０」と、「２０」ｃｈのセグメント番号「０」、「４」及び「９」の５つのセグメント分離放送サービスとして記憶されたことを示している。
【００６３】
以上のように、本実施形態によれば、デジタル放送受信装置で受信可能な新しいチャネルを検出する際に、それまでデジタル放送受信装置で受信可能に設定されていたチャネル（ワンセグ用チャネルリスト４２２に記載されたチャネル）を除外してスキャンすることにより、全チャネルをスキャンする場合に比べて所要時間を短縮できることとなる。
【００６４】
〔変形例〕
上述したように、本実施形態においてはデジタル受信装置を携帯電話に適用した場合について説明したが、適用可能な装置は携帯電話に限られるものではない。例えば、地上波デジタル放送受信機能を備えたカーナビゲーションシステム、コンピュータ、ＰＤＡ（Personal Digital Assistant）等、地上波デジタル放送を受信する機能を備えた他の装置にも適用可能である。
【００６５】
また、チャネルをサーチする場合のインクリメントの幅について、放送データ毎に応じて変えても良い。この場合についての動作について、図１１及び図１２を用いて説明する。図１１及び図１２は、図５及び６の動作フローに、特有の処理に係る内容を記載したものであり、図５及び図６と同一の処理には同一の符号をつけてその説明を省略する。
【００６６】
まず、検出されたイベントがスキャン動作か否かを判定する（ステップＳ５０）。ここで、スキャン動作の場合には（ステップＳ５０；Ｙｅｓ）、番号０のセグメントのみをサーチする（ステップＳ５２）。
【００６７】
ここで、セグメント分離放送におけるセグメントの運用方法として、図１０において表した１チャネルのうち、当該チャネルがセグメント分離放送に使用される場合には、必ず最初に、セグメント０を使用した放送サービスが提供されることとする。更に、このセグメント０での放送サービスが、チャネルガイドとして機能しないような場合は、ワンセグ放送のスキャンと同様、セグメント０を最初にサーチすれば当該チャネルにおける放送サービスの有無（他のセグメントでの放送サービスの存在の可能性）を確認できるからである。
【００６８】
つづいて、放送方式が地デジであると判定された場合には（ステップＳ５４；Ｙｅｓ）、次にサーチする周波数へのインクリメントの幅は、当該セグメント０から隣接するチャネルのセグメント０までで良く、この幅に基づいてチャネル単位にサーチする（ステップＳ５６）。ここで、インクリメントの幅は利用者により設定されても、予め設定されていても、その都度自動的に設定されることとしても、いずれの方法でも良い。そして、ステップＳ１６からの処理を実行する。
【００６９】
他方、放送方式がセグメント分離放送と判定された場合には（ステップＳ５４；Ｎｏ→ステップＳ５８；Ｙｅｓ）、ステップＳ７０から処理を実行する。また、放送方式がセグメント分離放送でも無いと判定された場合には（ステップＳ５４；Ｎｏ→ステップＳ５８；Ｎｏ）、放送がないと判定し、ステップＳ５０から処理を繰り返し実行する。
【００７０】
つづいて、ステップＳ７０からの処理について説明する。まず、インクリメントの幅をセグメント単位に設定する（ステップＳ７０）。そして、セグメント０以外の他のセグメントをスキャンする（ステップＳ７２）。
【００７１】
そして、当該セグメントにおいて放送サービスが検出された場合には、セグメント分離放送用チャネルリスト４２４に登録する（ステップＳ４０；Ｙｅｓ→ステップＳ４２）。
【００７２】
ここで、当該チャネルにおいてラストセグメントでない場合（ステップＳ７４；Ｎｏ）、インクリメントの幅に応じて次のセグメントに処理対象を移し（ステップＳ７６）、ステップＳ７２から処理を繰り返し実行する。
【００７３】
また、当該チャネルにおいてラストセグメントの場合には（ステップＳ７４；Ｙｅｓ）、ラストチャネルか否かを判定する（ステップＳ４４）。ここで、ラストチャネルではない場合（ステップＳ４４；Ｎｏ）、次のチャネルのセグメント０へ処理対象を移し、ステップＳ５４から処理を実行する（ステップＳ７８→ステップＳ５４）。
【００７４】
このように、セグメント０をサーチした結果、ＮＩＴ(Network Information Table)等の情報からワンセグ放送若しくはセグメント分離放送のいずれかの放送方式を識別すれば、実行中のスキャンにおいて次にサーチする周波数へのインクリメントの幅を判断することができる。これにより、ユーザは「地上波デジタル放送受信モード」でのスキャン実行か、「セグメント分離放送受信モード」でのスキャン実行かを意識することなく、放送方式混在で周波数チャネル順にスキャンを行うことが可能となる。
【００７５】
例えば、１３ｃｈから６２ｃｈまで周波数チャネル順に「放送方式混在モード」でスキャンを行なう場合、１３〜１７ｃｈまでは地上波デジタル放送のサービスが存在するとしたとき、このチャネルの範囲において、ＴＳをデコードして得られる情報から地上波デジタル放送であることが識別されるため、サーチする次の周波数へのインクリメントの幅はチャネルの幅（６ＭＨｚ）で良い。次に、１８ｃｈのセグメント０へサーチ対象である周波数がインクリメントされ、当該セグメント０で１８ｃｈがセグメント分離放送であることが識別できると、１８ｃｈの他のセグメントをスキャンするために、インクリメントの幅をセグメント単位（４２８ｋＨｚ）に設定して、１８ｃｈのセグメント１１から順に９→７→・・・１→２→・・・→１０→１２とスキャンを行なう。
【００７６】
１８ｃｈの全セグメントのスキャンが終了すると１９ｃｈのセグメント０をサーチするために周波数をインクリメントし、１９ｃｈで行われている放送サービスの放送方式を識別する。１９ｃｈでワンセグ及びセグメント分離放送のいずれのサービスも確認できなければ、周波数を６ＭＨｚインクリメントして次のサーチ対象を２０ｃｈのセグメント０とする。
【００７７】
このように、上記の方法によれば、ユーザが放送方式を意識してスキャンを実行する必要のない、しかも周波数１３〜６２ｃｈの一通りのスキャンを１度行うだけで、複数の放送方式のサービスをみつけることが可能なスキャン方式を提供することができる。
【００７８】
また、地デジの（１セグの）電波の強いところでスキャンする際はエリアポータルなどローカルな放送を探す目的と思われる反面、県境のような電波が弱いところでスキャンする際は、総てのチャンネルを探す場合もあるため、例えばチャネルリストに受信強度を合わせて記憶しておくこととしてもよい。
【００７９】
具体的には、図５のステップＳ１８において、ワンセグ放送のチャネルリストをスキャンにより取得し登録する場合に、受信したチャネルの受信強度をチャネルと紐付けてワンセグ用チャネルリスト４２２に記憶させておく。
【００８０】
そして、セグメント分離放送をサーチする場合、図６のステップＳ３０においてワンセグ用チャネルリスト４２２に存在するチャネルの場合、ステップＳ３２に替えて、まず当該チャネルの現在位置での受信強度を測定する。そして、受信強度が判別値より大きければ、当該チャネルをスキップして次のチャネルへ移行する。他方、当該チャネルの現在位置の受信強度が判別値以下であれば、ステップＳ３４から処理を実行する。
【００８１】
このように、端末の現在位置が変わって当該ワンセグ放送用チャネルリストが現在位置に見合ったものであるか不確かな場合、本来スキャン対象外となるワンセグ放送チャネルであるが、端末の現在位置におけるワンセグ放送（があると思われている）チャネルの受信強度が判別値より大きいか判定する。
【００８２】
そして、チャネルの受信強度が判別値以下であれば、現在位置においてセグメント分離放送用のスキャンを実行した場合、当該チャネルをスキャン対象に含めることにより、ワンセグ放送チャネルリストの放送サービスの弱電界又は放送エリア外におけるセグメント分離放送の放送サービスのスキャンによる取りこぼしを防ぐことが可能となる。
【００８３】
ここでチャネルの受信強度の判別値には、ワンセグ放送のスキャンで取得できた総てのチャネルの受信強度の内、最低のものを判別値として利用することが一例として考えられる。
【００８４】
また、セグメント分離放送の運用形態は、ワンセグ放送の放送エリアよりも小さい局地的なエリアにおいて、ローカルコンテンツ（例えば、デパートにおけるフロア案内や、テーマパークにおけるエリアマップおよび混雑状況の配信等）を提供することが想定される。したがって、当該局地的エリアを離れれば、直ちに対応するローカル放送サービスは受信できなくなることが予想され、また一方で同一チャネルの同一セグメントにおいて、先とは異なるローカル放送が存在することも十分に考えられる。
【００８５】
例えば、あるテーマパークとその周辺のエリアにおいて、２０ｃｈを利用したセグメント分離放送が提供されており、ユーザはスキャンの実行により、端末に当該セグメント分離放送のチャネルリストを記憶させている。ユーザが当該テーマパークを離れ、帰途においてあるデパートに立ち寄った際、当該デパートにおいて偶然にも同じ２０ｃｈでセグメント分離放送により、デパートのフロア案内と店内広告等を提供しているとき、ユーザが再びスキャンを実行した場合には、テーマパーク周辺で得たチャネルリストをスキャン対象から外すと、デパートの放送内容を取得・受信できないといった事態が考えられる。
【００８６】
このため、前回のスキャン実行で取得したチャネルリストの中でも、セグメント分離放送のリストにおいては、次に行うスキャンでスキャン対象から外さないようにすることにより、ユーザがローカルエリアに限定される放送サービスを容易に見つけることが可能なスキャン方式を提供することができる。
【００８７】
このとき、テーマパーク周辺で取得したセグメント分離放送のチャネルリストは、端末から破棄しなくとも良い。ＧＰＳ機能を有する携帯端末においては、チャネルリストを取得した際に、ＧＰＳ機能を利用して、その時の端末の位置情報も取得し、チャネルリストと紐付けて端末に記憶しておくことにより、再度、当該ローカルエリアに近づいた時に、ユーザに当該チャネルリストが利用可能である旨の通知を行なう等して、ユーザにスキャンの実行を繰り返させることなく、当該チャネルリストの再利用を促すという利便性を提供することができる。
【００８８】
また、上述した実施例においては、チャネルリストの持ち方としてワンセグ用チャネルリストとセグメント分離放送用チャネルリストとの２つに分ける持ち方を記載した。しかしチャネルリストの持ち方はこのような放送方式別に限られるものではなく、１つのリストにまとめて持ったり、端末に準備されているチャネルリストと本発明の方式を用いてスキャンして得られたチャネルリストのように分けて持ったりしても良い。特に後者の持ち方の場合、スキャン時の端末の位置情報とチャネルリストとを紐付けて記憶する際に、ある場所でスキャンして得られたチャネルリスト（局地的な放送のリスト）を表示部に表示することが容易になる。
【００８９】
また、上述した実施形態においては、ワンセグ放送とセグメント分離放送とを受信する端末について記載したが、端末が受信する放送はこれに限られるものではない。ワンセグ放送などの地上波デジタル放送ではなく衛星デジタル放送であったり、１種類の方式（例えばワンセグ放送のみ、フルセグ放送のみ）であったりしてもよい。
【００９０】
特に、サービスエリアの大小が異なる放送が混在する際に、サービスエリアの小さな放送を検出する端末において本発明は好適である。その理由は、サービスエリアが小さな放送（例えばセグメント分離放送。一般に放送の出力が弱く、チャネルリストが整備されているとは限らない）は、混信を防ぐため、サービスエリアが大きな放送（例えばワンセグ放送。一般に放送の出力が強く、チャネルリストが準備されている）が用いている周波数を避けて放送されると予想されるためである。これにより、チャネルリストに記載されているチャネル(例えばワンセグ放送のチャネル)を除外してスキャンしても、サービスエリアが小さな放送（例えばセグメント分離放送）は総てスキャンされると考えられる。
【００９１】
また、上述した実施形態においては、比較対象として参照するワンセグ用チャネルリストが、直前まで使用されていたものである場合について記載したが、直前まで使用されていたものであることは、現在位置で受信できることが見込まれるチャネルのリストであることの一例に過ぎない。特に、携帯電話の現在位置はユーザの移動により頻繁に変化するため、直前に使用していた上記チャネルリストが、必ずしも携帯電話の現在位置におけるワンセグ放送エリアのチャネルリストに合っているとは限らない。
【００９２】
そのため、携帯電話のように、通信機能やＧＰＳを搭載する受信機端末においては、通信基地局から得ることのできる位置情報あるいはＧＰＳによる位置情報を用いて、受信機端末の現在属するワンセグ放送エリアを把握し、これにより適切なワンセグ用チャネルリストを引用して、比較対象としても良い。また、セグメント分離放送でのスキャンのイベントを制御部１０が検出した場合（ステップＳ１２；Ｎｏ→ステップＳ２２；Ｙｅｓ）、制御部１０はスキャンの実施前にユーザにワンセグ用チャネルリストの選択若しくは確認を促すメッセージを表示部５０に表示し、入力部６０から入力されたユーザの操作に応じてワンセグ用チャネルリストを選択しても良い。
【００９３】
また、上述した実施形態においては、ステップＳ３４において、ユーザからのセグメント指定がない場合は、ステップＳ３６において全部のセグメントをスキャンするとして説明したが、初期設定とされているセグメントのみをサーチすることによりチャネルをスキャンするとしても良い。
【００９４】
例えば、セグメント分離放送におけるセグメントの運用方法として、図１０において表した１チャネルのうち、セグメント０が、当該チャネルの他のセグメントの放送サービス内容及びセグメント構成を説明するチャネルガイドとして機能するような場合、セグメント０のみをセグメント指定してスキャンして得たチャネルガイドを端末に記憶する。チャネルガイドのＴＳをデコードして得た情報（例えば ＮＩＴ：Network Information Table 等）に他のセグメントの放送サービス内容が記述されている場合には、これにより、他のセグメントの放送サービス内容を把握することができるため、他のセグメントはスキャンする必要がなく、更にスキャンの効率を向上させることが可能である。
【００９５】
また、上述した実施形態においては、チューナの制御形態を「地上波デジタル放送受信モード」、「セグメント分離放送受信モード」と区別し、放送方式毎に別個にチャネルリストを作成する場合について記載したが、ユーザに放送方式を意識させることなく、周波数順にスキャンを行ない、複数の種類の放送を周波数順で混在させたチャネルリストを作成することにより、ユーザが周波数順に放送サービスを探したい場合、そのリストに基づいて表示させることとしても良い。
【００９６】
例えば、図９の表示画面Ｗ１１０は、このような複数の種類の放送方式にまたがって周波数順に放送サービスをリスト化し、表示した場合の一例を示す図である。
【００９７】
また、チューナの制御形態を区別して、放送方式毎に別個にチャネルリストを取得した場合でも、複数の放送方式をまとめてスキャンして周波数順に放送方式を混在させたチャネルリストを取得した場合でも、放送方式毎にチャネルリストを表示する方法や、放送方式で分けずに、周波数順でソートしてチャネルリストを表示する方法といった、表示方法の切替えることが可能である。このような機能を、携帯電話のアプリケーションのユーザインターフェイスとして備えることにより、ユーザの利便性を向上させることが可能である。
【００９８】
また、上述した実施形態において、セグメント分離放送受信モードでのスキャンを行う際に、ワンセグ用チャネルリスト４２２を参照して、当該チャネルがワンセグ用チャネルリスト４２２に記載されていれば、直ちにセグメント分離放送方式での放送サービスは存在しないと判断して、当該チャネルをスキャンの対象からスキップする場合について記載したが、ワンセグ用チャネルリスト４２２をスキャンによって作成する場合に、チューナにより受信したチャネルの受信強度をチャネル毎に記録しておき、セグメント分離放送受信モードのスキャン中に、当該チャネルがスキャン対象であるか否かの判定を行うのに利用しても良い。
【００９９】
この態様によれば、たとえワンセグ用チャネルリストに記載されているチャネルであっても、記録しておいたチャネルの受信強度と、実行中のセグメント分離放送受信モードのスキャンにおける同チャネルの受信強度とを比較して、現在の受信強度がある一定の受信強度以下であれば、セグメント分離放送受信モードでのスキャンのスキャン対象に取り入れることにより、県境等のワンセグ放送の弱電界エリアにおいて、セグメント分離放送サービスの存在の可能性を見落とすことなく、セグメント分離放送方式のスキャンを行うことができる。
【図面の簡単な説明】
【０１００】
【図１】本実施形態における携帯電話の外観を示す図である。
【図２】本実施形態における携帯電話の構成を示す図である。
【図３】本実施形態におけるワンセグ用チャネルリストのデータ構成の一例を示す図である。
【図４】本実施形態におけるセグメント分離放送用チャネルリストのデータ構成の一例を示す図である。
【図５】本実施形態における携帯電話の動作フローを示す図である。
【図６】本実施形態における携帯電話の動作フローを示す図である。
【図７】本実施形態における携帯電話の表示画面の一例を示す図である。
【図８】本実施形態における携帯電話の表示画面の一例を示す図である。
【図９】本実施形態における携帯電話の表示画面の一例を示す図である。
【図１０】地上波デジタル放送について説明する為の図である。
【図１１】変形例における携帯電話の動作フローを示す図である。
【図１２】変形例における携帯電話の動作フローを示す図である。
【符号の説明】
【０１０１】
１  携帯電話
１０  制御部
２０  通信制御部
２５  通信用ＲＦ部
２８  通信用アンテナ
３０  デコーダ部
３５  ＴＶ用ＲＦ部
３８  地上波デジタル放送受信用アンテナ
４０  記憶部
４２  チャネルリスト
４２２  ワンセグ用チャネルリスト
４２４  セグメント分離放送用チャネルリスト
５０  表示部
６０  入力部
７０  音声復号部
７５  スピーカ
８０  音声符号化部
８５  マイク
【図１】
2009260812.tif 000003
【図２】
2009260812.tif 000004
【図３】
2009260812.tif 000005
【図４】
2009260812.tif 000006
【図５】
2009260812.tif 000007
【図６】
2009260812.tif 000008
【図１０】
2009260812.tif 000009
【図１１】
2009260812.tif 000010
【図１２】
2009260812.tif 000011
【図７】
2009260812.tif 000012
【図８】
2009260812.tif 000013
【図９】
2009260812.tif 000014